(57)【要約】【課題】利用者および利用者が移動する周辺のユーザに対し、効果的に広告を知らせることで広告効果をよりいっそう高める技術を提供する。【解決手段】広告提供装置１０は、広告内容に関する位置情報を含む広告情報を記憶する。また、広告提供装置１０は、利用者と関連付けられた位置情報または利用者の移動方法を示す情報の少なくともいずれかを取得し、取得した情報に基づいて、利用者の移動先までの経路を示す移動ルートを推定する。広告提供装置１０は、推定した移動ルートに対応する広告情報をメモリから読み出して、読み出した広告情報を含む携行広告物（買い物袋６０）を出力する。買い物袋６０には、二次元コード６２が印刷され、二次元コード６２には、広告提供装置１０が推定した移動ルートを示す情報が含まれる。【選択図】図１
2016184093.tif 000002
【特許請求の範囲】
【請求項１】
広告提供装置であって、
広告内容に関する位置情報を含む広告情報を記憶するように構成された記憶部と、
前記広告提供装置の動作を制御するように構成された制御部とを備え、
前記制御部は、
利用者と関連付けられた位置情報または利用者の移動方法を示す情報の少なくともいずれかを取得する取得部と、
前記取得部により取得した情報に基づいて、前記利用者の移動先までの移動ルートに対応する広告情報を前記記憶部から読み出して、読み出した広告情報を含む携行広告物を出力する広告出力部とを含む、広告提供装置。
【請求項２】
前記広告出力部が前記携行広告物を出力することには、前記記憶部から読み出した前記広告情報をプリンタに出力し、前記プリンタが前記広告情報を携行物に印刷することにより前記携行広告物を出力することが含まれる、請求項１に記載の広告提供装置。
【請求項３】
前記プリンタが前記広告情報を印刷する前記携行物は、袋を含み、
前記携行広告物は、前記広告情報が印刷された前記袋を含み、
前記広告出力部が前記携行広告物を出力することは、前記広告情報を前記プリンタに出力し、前記プリンタが前記広告情報を前記袋に印刷した前記袋を前記携行広告物として生成することを含む、請求項２に記載の広告提供装置。
【請求項４】
前記広告提供装置は、さらに、
前記広告情報を配信するサーバと通信するための通信部を備え、
前記制御部は、
前記取得部により取得した情報を前記サーバへ送信し、当該送信に対する応答として前記サーバから前記広告情報を受信して前記記憶部に記憶させる広告情報取得部を含み、
前記広告出力部が前記携行広告物を出力することには、前記広告情報取得部により前記記憶部に記憶された前記広告情報に基づき生成される前記携行広告物を出力することが含まれる、請求項１に記載の広告提供装置。
【請求項５】
前記記憶部は、前記利用者と関連付けられた位置情報または前記利用者の移動方法を示す情報の少なくともいずれかと、前記利用者を識別する情報とを対応付けて記憶するように構成されており、
前記取得部が前記位置情報または前記利用者の移動方法を示す情報の少なくともいずれかを取得することには、前記利用者を識別する情報を記憶する通信装置と通信することにより前記利用者を識別する情報を取得し、取得した前記利用者を識別する情報に基づいて、前記記憶部に記憶される前記位置情報または前記移動方法を示す情報の少なくともいずれかを特定することが含まれる、請求項１に記載の広告提供装置。
【請求項６】
前記広告出力部が前記携行広告物を出力することには、前記取得部により取得した情報に基づいて前記利用者の移動先までの移動ルートを推定し、推定した移動ルート上を前記利用者が移動するのに要すると見込まれる所要時間を推定し、推定した所要時間内に関連する広告情報であって、前記移動ルートに対応する前記広告情報を含む前記携行広告物を出力することが含まれる、請求項１に記載の広告提供装置。
【請求項７】
前記広告出力部が出力する前記携行広告物には、前記利用者の移動先までの移動ルートを示すコード情報であって、広告主の端末により読み取り可能なコード情報が含まれる、請求項１から６のいずれか１項に記載の広告提供装置。
【請求項８】
広告提供システムであって、
前記広告提供システムは、通信端末と、広告情報を配信するサーバとを含み、
前記通信端末は、利用者と関連付けられた位置情報または利用者の移動方法を示す情報の少なくともいずれかを取得するように構成された取得部と、
前記取得部により取得される前記情報を前記サーバへ送信するように構成された送信制御部とを備え、
前記サーバは、
広告内容に関する位置情報を含む広告情報を記憶するように構成された記憶部と、
前記通信端末から、前記通信端末が前記取得部により取得した情報を受信するように構成された受信部と、
前記受信部により受信した情報に基づいて、前記利用者の移動先までの移動ルートに対応する広告情報を前記記憶部から読み出して、読み出した広告情報を前記通信端末へ送信する広告情報送信部とを備え、
前記通信端末は、
前記サーバから送信される前記広告情報を受信する広告情報受信部と、
前記受信した広告情報を含む携行広告物を出力する広告出力部とをさらに備える、広告提供システム。
【請求項９】
広告提供装置が広告を提供する方法であって、
前記広告提供装置は、広告内容に関する位置情報を含む広告情報をメモリに記憶するように構成されており、
前記方法は、
前記広告提供装置が、利用者と関連付けられた位置情報または利用者の移動方法を示す情報の少なくともいずれかを取得するステップと、
前記広告提供装置が、前記取得するステップにおいて取得した情報に基づいて、前記利用者の移動先までの移動ルートに対応する広告情報を前記メモリから読み出して、読み出した広告情報を含む携行広告物を出力するステップとを含む、方法。
【請求項１０】
広告提供装置の動作を制御するためのプログラムであって、
前記広告提供装置は、プロセッサと、メモリとを備え、
前記メモリは、広告内容に関する位置情報を含む広告情報を記憶するように構成されており、
前記プログラムは、前記プロセッサに、
利用者と関連付けられた位置情報または利用者の移動方法を示す情報の少なくともいずれかを取得するステップと、
前記取得した情報に基づいて、前記利用者の移動先までの移動ルートに対応する広告情報を前記メモリから読み出して、読み出した広告情報を含む携行広告物を出力するステップとを実行させる、プログラム。
【発明の詳細な説明】
【技術分野】
【０００１】
本開示は、広告を提供する技術に関する。
【背景技術】
【０００２】
商品やサービスを周知するために様々な広告手法が利用されている。例えば、特定の地域にいる人に広告を提供する手法として、新聞配達とともに織り込まれる折込チラシなどがある。折込チラシを用いることで、広告主（スポンサー）は、新聞が配達される地域を対象として広告を提供することができる。また、特定の地点を通過する人を対象に広告を提供する手法もよく知られている。広告主は、例えば、広告が表示された看板などを設置することで、看板の設置箇所付近を通過する人に対して広告を提供することができる。また、特定の地点において、ティッシュやうちわなど、利用者が保持可能な物品に広告を表示したものを配布することも行われている。これにより、例えば広告が印刷されたうちわを保持する人が移動することで、移動に伴って広告を各地に提供することができる。
【０００３】
このように、広告を効果的に提供するために様々な技術が検討されている。例えば、特開２０１１−１８５９９４号公報（特許文献１）は、利用者が所有する買い物袋に店の宣伝効果を持たせるために、買い物袋に電子ペーパを付して、サーバから電子ペーパに広告データを送信することが記載されている。これにより、利用者が保持する買い物袋に、店の宣伝効果を持たせることができる。
【先行技術文献】
【特許文献】
【０００４】
【特許文献１】特開２０１１−１８５９９４号公報
【発明の概要】
【発明が解決しようとする課題】
【０００５】
特許文献１の技術によると、顧客である利用者の買い物袋に電子ペーパを取り付けて、電子ペーパに広告情報を送信することで、店を宣伝する効果を持たせることができる。しかし、利用者の移動に伴って、例えば利用者に店に来訪してもらうなどの広告の効果が徐々に期待できなくなる可能性がある。例えば、利用者が店から離れた地点に移動すればするほど、広告を提供する店を訪問するための時間的制約が大きくなる。また、ティッシュやうちわなど、ある地点で配布される物品とともに提供される広告は、例えば広告主の店舗から一定程度離れた地点で配布されることがある。こうすることで、広告主は、店舗への来訪を促すことを期待する。しかし、その広告効果は、配布を受けた利用者が、その後、どのように行動するかによって定まるため、期待された広告効果が有効に発揮されない可能性がある。また、新聞の折り込みチラシなど、地域を対象として配布される広告についても、広告を受け取った利用者が、その後、どのように行動するかによって広告効果が定まるため、期待された広告効果が有効に発揮されない可能性がある。
【０００６】
したがって、利用者の移動に応じていっそう効果的に広告を提供する技術が必要とされている。本開示は、利用者および利用者が移動する周辺のユーザに対し、効果的に広告を知らせることで広告効果をよりいっそう高める技術を提供することを目的としている。
【課題を解決するための手段】
【０００７】
一実施形態に従う広告提供装置は、広告内容に関する位置情報を含む広告情報を記憶するように構成された記憶部と、広告提供装置の動作を制御するように構成された制御部とを備える。制御部は、利用者と関連付けられた位置情報または利用者の移動方法を示す情報の少なくともいずれかを取得する取得部と、取得部により取得した情報に基づいて、利用者の移動先までの移動ルートに対応する広告情報を記憶部から読み出して、読み出した広告情報を含む携行広告物を出力する広告出力部とを含む。
【０００８】
別の実施形態に従うと、広告提供システムが提供される。広告提供システムは、通信端末と、広告情報を配信するサーバとを含む。通信端末は、利用者と関連付けられた位置情報または利用者の移動方法を示す情報の少なくともいずれかを取得するように構成された取得部と、取得部により取得される情報をサーバへ送信するように構成された送信制御部とを備える。サーバは、広告主の位置情報と対応付けられた広告情報を記憶するように構成された記憶部と、通信端末から、通信端末が取得部により取得した情報を受信するように構成された受信部と、受信部により受信した情報に基づいて、利用者の移動先までの移動ルートに対応する広告情報を記憶部から読み出して、読み出した広告情報を通信端末へ送信する広告情報送信部とを備える。通信端末は、サーバから送信される広告情報を受信する広告情報受信部と、受信した広告情報を含む携行広告物を出力する広告出力部とをさらに備える。
【０００９】
別の実施形態によると、広告提供装置が広告を提供する方法において、広告提供装置は、広告内容に関する位置情報を含む広告情報をメモリに記憶するように構成されている。この方法は、広告提供装置が、利用者と関連付けられた位置情報または利用者の移動方法を示す情報の少なくともいずれかを取得するステップと、広告提供装置が、取得するステップにおいて取得した情報に基づいて、利用者の移動先までの移動ルートに対応する広告情報をメモリから読み出して、読み出した広告情報を含む携行広告物を出力するステップとを含む。
【００１０】
別の実施形態に従うと、広告提供装置の動作を制御するためのプログラムが提供される。広告提供装置は、プロセッサと、メモリとを備える。メモリは、広告内容に関する位置情報を含む広告情報を記憶するように構成されている。プログラムは、プロセッサに、利用者と関連付けられた位置情報または利用者の移動方法を示す情報の少なくともいずれかを取得するステップと、取得した情報に基づいて、利用者の移動先までの移動ルートに対応する広告情報をメモリから読み出して、読み出した広告情報を含む携行広告物を出力するステップとを実行させる。
【発明の効果】
【００１１】
一実施形態によると、利用者の移動先までの移動ルートに応じた広告が提供されるため、利用者および利用者が移動する周辺のユーザに対し、効果的に広告情報を提供することができる。
【００１２】
この発明の上記および他の目的、特徴、局面および利点は、添付の図面と関連して理解されるこの発明に関する次の詳細な説明から明らかとなるであろう。
【図面の簡単な説明】
【００１３】
【図１】本実施形態の広告提供システムの概要を示す図である。
【図２】広告提供装置１０の構成とサーバ２０の構成とを示すブロック図である。
【図３】広告主の店舗等に設置されるスポンサー端末３０の構成を示すブロック図である。
【図４】広告情報１５１のデータ構造と、利用者管理情報１５３のデータ構造とを示す図である。
【図５】広告効果情報２６４のデータ構造を示す図である。
【図６】広告提供装置１０がユーザの移動ルートに応じた携行広告物を出力する処理を示すフローチャートである。
【図７】スポンサー端末３０が広告フィードバック情報３６３を生成してサーバ２０へ送信する処理を示すフローチャートである。
【図８】サーバ２０に蓄積される広告効果情報２６４の利用例を示す図である。
【発明を実施するための形態】
【００１４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１５】
＜実施の形態１＞
図１は、本実施形態の広告提供システムの概要を示す図である。ユーザ（利用者）は、店舗８１で買い物をした後、移動ルート７０に示される経路に従って、移動先となるユーザの住居８３へ移動する。店舗８１から住居８３までの経路である移動ルート７０に店舗８２があり、イベントの開催が予定されている（図１において、イベント内容「Ｍ月Ｎ日１８時よりイベント開催」と示している）。ユーザは、店舗８１での買い物時に、店舗８１のスタッフから、広告が印刷された買い物袋６０を受け取る。
【００１６】
図１の状態（Ａ）は、ユーザが買い物をする場面を示す。状態（Ａ）において、広告提供装置１０は、無線ルータ９０と通信する。無線ルータ９０は、広告情報を配信するサーバとネットワークを介して接続している。広告提供装置１０は、無線ルータ９０を介してサーバから広告情報を受信して蓄積している。広告情報には、広告内容に関する位置情報（例えば、広告主の店舗の所在地、イベント開催場所その他の情報）が含まれる。また、広告提供装置１０は、プリンタ４０と接続している。ユーザは、スマートフォン１２２を保持している。店舗８１に設置される広告提供装置１０は、ユーザが保持するスマートフォン１２２と、例えば無線により通信する。これにより、広告提供装置１０は、ユーザが使用する通信装置から、ユーザと関連付けられた位置情報（例えば、ユーザが指定する住所、地域など）、または、ユーザの移動方法を示す情報（例えば、交通機関の電子的な乗車券）の少なくともいずれかを受信する。
【００１７】
広告提供装置１０は、スマートフォン１２２から受信した情報に基づいて、ユーザの移動ルートを推定する。例えば、広告提供装置１０は、スマートフォン１２２から、ユーザが住居とする住居８３の位置情報を受信した場合、店舗８１の位置情報と、住居８３の位置情報とに基づいて、経路探索等の処理により、ユーザの移動ルートを推定する。また、例えば、店舗８１が会員制のサービスをユーザに提供しており、会員情報としてユーザの住所などの情報をデータベースとして保持していることがある。この場合、広告提供装置１０は、ユーザから、スマートフォン１２２を介してユーザを識別する情報（会員番号）などを取得し、取得した情報をもとにデータベースを探索することで、ユーザが移動先とする位置の位置情報を取得し、取得した情報に基づいてユーザの移動ルートを推定する。
【００１８】
状態（Ｂ）は、広告提供装置１０がユーザの移動ルートに対応する広告情報を含む携行広告物（買い物袋６０）をプリンタ４０によって出力する場面を示す。広告提供装置１０は、ユーザの移動ルートの推定結果に基づいて、ユーザの移動ルートに対応する広告情報を記憶装置から読み出す。例えば、推定されたユーザの移動ルートを、移動ルート上の各地点の集合体とみなした場合に、広告提供装置１０は、その各地点の一定距離範囲にある位置情報を含む広告情報を特定し、特定した広告情報の少なくともいずれかをプリンタ４０によって印刷して買い物袋６０を出力する。
【００１９】
状態（Ｃ）は、ユーザの移動先までの移動ルートに対応する広告情報が印刷された買い物袋を示す図である。プリンタ４０が買い物袋に広告情報を印刷することで、広告表示部６１に広告内容が表示された買い物袋６０が出力される。図１の例では、移動ルート７０上にある店舗８２において開催されるイベントの内容を広告として含む買い物袋６０がプリンタ４０から出力される。また、プリンタ４０は、二次元コード６２を買い物袋６０に印刷する。二次元コード６２は、広告提供装置１０が推定した移動ルートの推定結果、買い物袋６０に広告を印刷した店舗である店舗８１の情報、買い物袋６０に広告内容を印刷した日時などの情報を含むコードである。例えば、広告表示部６１に示される広告を配信する広告主は、買い物袋６０を保持して来店したユーザがある場合に、買い物袋６０に印刷された二次元コード６２をバーコードスキャナ等によってスキャンする。こうすることで、広告主は、広告の配信効果を測定でき、また、スキャンによって得られる移動ルートの情報に基づいて、広告主の店舗に来店するユーザの移動のパターンを把握することができる。
【００２０】
このように構成することで、広告提供システムは、ユーザの移動ルートに対応した広告情報を、ユーザが把持する買い物袋などの携行物に印刷することができる。ユーザは、携行広告物である買い物袋を把持したまま移動することで、移動ルートにおいて買い物袋に印刷された広告を、移動ルート上の様々な人に提供することができる。
【００２１】
＜構成＞
図２と図３とを参照して、広告提供システムを構成する各装置を詳細に説明する。
【００２２】
図２は、広告提供装置１０の構成とサーバ２０の構成とを示すブロック図である。広告提供装置１０は、無線ＬＡＮ（Local  Area  Network）規格などに従って無線ルータ９０と通信し、無線ルータ９０を介してサーバ２０と通信する。
【００２３】
図２に示すように、広告提供装置１０は、アンテナ１０１と、無線通信部１１１と、利用者装置通信部１１２と、入出力ＩＦ（Interface）１１３と、記憶部１５０と、制御部１６０とを含む。
【００２４】
アンテナ１０１は、広告提供装置１０が発する信号を電波として放射する。また、アンテナ１０１は、空間から電波を受信して受信信号を無線通信部１１１へ与える。本実施形態では、広告提供装置１０は、複数の無線通信規格に対応している。
【００２５】
無線通信部１１１は、広告提供装置１０が他の無線機器と通信するため、アンテナ１０１等を介して信号を送受信するための変復調処理などを行う。無線通信部１１１は、チューナー、ＲＳＳＩ（Received  Signal  Strength  Indicator）算出回路、ＣＲＣ（Cyclic  Redundancy  Check）算出回路、高周波回路などを含む通信モジュールである。無線通信部１１１は、広告提供装置１０が送受信する無線信号の変復調や周波数変換を行い、受信信号を制御部１６０へ与える。
【００２６】
利用者装置通信部１１２は、広告提供装置１０が利用者通信装置１２０と通信して信号を送受信するための変復調処理などを行う。利用者通信装置１２０は、ユーザを識別する情報を記憶する装置であり、ＩＣカード１２１、スマートフォン１２２、ウェアラブルデバイス１２３その他の装置がある。利用者装置通信部１１２は、利用者通信装置１２０と広告提供装置１０とが比較的近い距離（例えば、数メートル程度までの距離）で通信するための通信モジュールである。利用者装置通信部１１２は、例えば、ＮＦＣ（Near  field  communication）に対応してＩＣカード１２１と通信する。また、利用者装置通信部１１２は、例えばＢｌｕｅｔｏｏｔｈ（登録商標）などの通信規格に対応して、スマートフォン１２２、ウェアラブルデバイス１２３その他の装置と通信する。
【００２７】
入出力ＩＦ１１３は、広告提供装置１０が外部の機器と接続して信号を送受信するためのインタフェースである。広告提供装置１０は、入出力ＩＦ１１３によりプリンタ４０と接続する。
【００２８】
記憶部１５０は、例えばフラッシュメモリ等により構成され、広告提供装置１０が使用するデータおよびプログラムを記憶する。ある局面において、記憶部１５０は、広告内容に関する位置情報を示す位置情報１５１Ｃを含む広告情報１５１と、利用者管理情報１５３と、広告提供履歴情報１５４とを記憶する。利用者管理情報１５３は、ユーザそれぞれの、ユーザと関連付けられた位置情報（ユーザの住所など）、ユーザの移動方法を示す情報（ユーザが利用する交通機関の電子的な乗車券など）その他の情報を示す。広告提供履歴情報１５４は、広告提供装置１０がサーバ２０から取得した広告情報をプリンタ４０によって出力した履歴を示す。広告提供履歴情報１５４は、広告を識別する情報、広告を提供した日時を示す情報その他の情報を含む。
【００２９】
制御部１６０は、記憶部１５０に記憶されるプログラムを読み込んで、プログラムに含まれる命令を実行することにより、広告提供装置１０の動作を制御する。制御部１６０は、例えばアプリケーションプロセッサである。制御部１６０は、プログラムに従って動作することにより、利用者情報取得部１６１と、広告出力部１６２と、広告情報取得部１６３と、コード情報生成部１６４としての機能を発揮する。
【００３０】
利用者情報取得部１６１は、ユーザと関連付けられた位置情報またはユーザの移動方法を示す情報の少なくともいずれかを取得する。具体的には、利用者情報取得部１６１は、利用者装置通信部１１２により利用者通信装置１２０からユーザを識別する情報を取得し、取得した情報に基づいて利用者管理情報１５３を参照することで、ユーザと関連付けられた位置情報またはユーザの移動方法を示す情報の少なくともいずれかを取得する。また、利用者情報取得部１６１は、ユーザの情報を表示するためのユーザインタフェース画面をタッチパネルディスプレイ（図示していない）に出力して、ユーザからユーザの移動先の情報等の入力を受け付けることとしてもよい。
【００３１】
広告出力部１６２は、利用者情報取得部１６１により取得した情報に基づいて、ユーザの移動先までの移動ルートに対応する広告情報１５１を記憶部１５０から読み出して、読み出した広告情報１５１をプリンタ４０に出力し、プリンタ４０に、買い物袋を対象として広告情報１５１を印刷させることで、広告情報１５１を含む携行広告物を出力する。広告出力部１６２は、利用者情報取得部１６１により取得した情報に基づいてユーザの移動先までの移動ルートを推定し、推定した移動ルート上をユーザが移動するのに要すると見込まれる所要時間を推定し、推定した所要時間内に関連する広告情報であって、移動ルートに対応する広告情報を記憶部１５０から読み出して、読み出した広告情報１５１を含む携行広告物をプリンタ４０によって出力する。
【００３２】
広告情報取得部１６３は、利用者情報取得部１６１により取得した情報をサーバ２０へ送信し、当該送信に対する応答としてサーバ２０から広告情報を受信して広告情報１５１として記憶部１５０に記憶させる。
【００３３】
コード情報生成部１６４は、広告出力部１６２によって推定したユーザの移動ルートの推定結果、買い物袋６０に広告を印刷した店舗の情報、買い物袋６０に広告内容を印刷した日時などの情報を含む二次元コードを生成する。制御部１６０は、生成した二次元コードを、広告情報と共にプリンタ４０へ出力する。プリンタ４０は、広告情報および二次元コードを含む携行広告物を出力する。
【００３４】
図２を参照して、サーバ２０は、通信部２０２と、記憶部２０６と、制御部２０７とを含む。記憶部２０６は、フラッシュメモリ、ＨＤＤ（Hard  Disk  Drive）、ＲＡＭ等により構成され、サーバ２０が使用するプログラムを記憶し、サーバ２０が使用する各種のデータを蓄積する。通信部２０２は、サーバ２０が他の通信機器と通信するための変復調処理などを行う通信インタフェースである。
【００３５】
ある局面において、記憶部２０６は、広告情報２６１と、広告発行量情報２６３と、広告効果情報２６４とを記憶する。広告情報２６１は、広告内容に関する位置の情報である位置情報２６１Ｃを含む。
【００３６】
広告発行量情報２６３は、広告提供装置１０の要求に応じて送信する広告情報の発行回数を示す。広告提供装置１０は、例えば、ユーザの移動先までの移動ルートに対応する広告情報を含む携行広告物をプリンタ４０により出力する機会の都度、サーバ２０と通信して広告情報をサーバ２０から受信することとしてもよい。また、広告提供装置１０がサーバ２０から受信した広告情報を含む携行広告物を出力する都度、広告提供装置１０がサーバ２０に対し、広告情報を印刷したことの通知を送信することとしてもよい。
【００３７】
広告効果情報２６４は、広告の効果を示す情報であり、広告の発行回数に対してユーザが実際に広告情報に示される店舗等へ移動した回数を示す。
【００３８】
制御部２０７は、記憶部２０６に記憶されるプログラムを読み込んで実行することにより、サーバ２０の動作を制御する。制御部２０７は、例えば複数のプロセッサによって実現される。制御部２０７は、プログラムに従って動作することにより、データ受信部２７１と、広告情報送信部２７２として機能する。
【００３９】
データ受信部２７１は、外部の通信装置から送信されるデータを受信する。例えば、データ受信部２７１は、広告提供装置１０から、広告提供装置１０が利用者情報取得部１６１により取得した、ユーザに関する情報を受信する。
【００４０】
広告情報送信部２７２は、広告提供装置１０から受信した情報に基づいて、ユーザの移動ルートに対応する広告情報２６１を記憶部２０６から読み出して、読み出した広告情報２６１を広告提供装置１０へ送信する。なお、ユーザの移動ルートは、広告提供装置１０が推定してもよいし、サーバ２０が推定してもよい。
【００４１】
図３は、広告主の店舗等に設置されるスポンサー端末３０の構成を示すブロック図である。スポンサー端末３０は、例えば、図１に示す店舗８２のように、広告情報を発信している店舗等に設置される。スポンサー端末３０は、例えばタブレット、ラップトップＰＣ（Personal  Computer）その他の装置である。スポンサー端末３０は、買い物袋６０に印刷された広告情報をもとに店舗へ来訪したユーザに対し、様々なサービスを提供するとともに、広告情報の配信の効果を測定するため、ユーザが来訪したことをサーバ２０へ通知する。
【００４２】
図３に示すように、スポンサー端末３０は、通信部３０２と、記憶部３０６と、制御部３０７と、タッチパネル３２１と、ディスプレイ３２２と、カメラ３２３と、入出力ＩＦ３２４とを含む。
【００４３】
通信部３０２は、スポンサー端末３０が他の通信機器と通信するための変復調処理などを行う通信インタフェースである。
【００４４】
タッチパネル３２１は、ユーザの入力操作を受け付ける。タッチパネル３２１は、例えば静電容量方式のタッチパネルを用いることによって、ユーザの接触位置を検出する。タッチパネル３２１は、検出したユーザの接触位置を示す信号を入力操作として制御部３０７へ出力する。
【００４５】
ディスプレイ３２２は、制御部３０７の制御に応じて、画像、動画、テキストその他の情報を表示する。ディスプレイ３２２は、例えばＬＣＤや有機ＥＬディスプレイによって実現される。
【００４６】
カメラ３２３は、制御部３０７の制御に応じて撮影することにより画像信号を出力する。例えば、スポンサー端末３０は、カメラ３２３により買い物袋６０に印刷された二次元コード６２を撮影し、撮影画像に対して画像認識処理を行うことで、二次元コード６２に示される情報を取得する。
【００４７】
入出力ＩＦ３２４は、スポンサー端末３０が外部の機器と接続して信号を送受信するためのインタフェースである。スポンサー端末３０は、入出力ＩＦ３２４により、例えばバーコードスキャナ５０と接続する。バーコードスキャナ５０は、買い物袋６０に印刷された二次元コード６２などのコードを光学的に読み取る装置である。
【００４８】
記憶部３０６は、フラッシュメモリ、ＲＡＭ等により構成され、スポンサー端末３０が使用するプログラムを記憶し、スポンサー端末３０が使用する各種のデータを蓄積する。ある局面において、スポンサー端末３０は、広告情報３６１と、広告フィードバック情報３６３とを記憶する。広告情報３６１は、広告内容に関する位置の情報である位置情報３６１Ｃを含む。
【００４９】
広告フィードバック情報３６３は、買い物袋６０に印刷された広告情報をもとに、店舗等の広告主の施設へ来訪したユーザの情報を示す。すなわち、広告フィードバック情報３６３は、広告主が配信した広告に対する効果を測定した結果を示す。
【００５０】
制御部３０７は、記憶部３０６に記憶されるプログラムを読み込んで実行することにより、スポンサー端末３０の動作を制御する。制御部３０７は、例えばプロセッサによって実現される。制御部３０７は、プログラムに従って動作することにより、広告情報送信部３７１と、フィードバック送信部３７２と、コード読み取り部３７３として機能する。
【００５１】
広告情報送信部３７１は、広告主によって生成された広告情報３６１をサーバ２０へ送信する。
【００５２】
フィードバック送信部３７２は、広告に対する効果を測定した結果である広告フィードバック情報３６３をサーバ２０へ送信する。
【００５３】
コード読み取り部３７３は、買い物袋６０に印刷される二次元コード６２を読み取って、二次元コード６２に示される情報を取得する。例えば、コード読み取り部３７３は、カメラ３２３によって二次元コード６２を撮影した撮影画像に対して画像認識を行うことで、二次元コード６２に示される情報（ユーザの移動ルートを示す情報等）を取得する。
【００５４】
＜データ構造＞
図４と図５とを参照して、実施の形態の広告提供システムで使用されるデータのデータ構造について説明する。
【００５５】
図４は、広告情報１５１のデータ構造と、利用者管理情報１５３のデータ構造とを示す図である。図４に示すように、広告情報１５１は、広告識別情報１５１Ａと、広告主１５１Ｂと、位置情報１５１Ｃと、日時情報１５１Ｄと、配信期間１５１Ｅと、優先度１５１Ｆとを含む。広告情報１５１は、これら広告識別情報１５１Ａ〜優先度１５１Ｆの情報と対応付けて、広告内容を示すデータを有する。
【００５６】
広告識別情報１５１Ａは、各広告を識別する情報である。広告主１５１Ｂは、広告主の名称を示す情報である。位置情報１５１Ｃは、広告内容に関する位置を示す情報である。位置情報１５１Ｃは、例えば、広告に含まれる店舗等の場所の情報、イベント開催場所の情報その他の情報である。日時情報１５１Ｄは、広告内容に関する日時を示す情報である。日時情報１５１Ｄは、例えば、イベントを開催する期間を示す。配信期間１５１Ｅは、広告情報をサーバ２０から各広告提供装置１０へ配信する期間を示す。優先度１５１Ｆは、各広告の優先度を示す。
【００５７】
利用者管理情報１５３は、利用者識別情報１５３Ａと、位置情報１５３Ｂと、移動方法情報１５３Ｃとを含む。
【００５８】
利用者識別情報１５３Ａは、各ユーザを識別する情報である。位置情報１５３Ｂは、各ユーザと関連付けられた位置情報を示す。移動方法情報１５３Ｃは、各ユーザの移動方法を示す。
【００５９】
図５は、広告効果情報２６４のデータ構造を示す図である。図５に示すように、広告効果情報２６４は、広告識別情報２６４Ａと、広告主２６４Ｂと、広告発行量２６４Ｃと、移動ルート２６４Ｄと、フィードバック量２６４Ｅとを含む。
【００６０】
広告識別情報２６４Ａは、各広告を識別する情報である。広告主２６４Ｂは、広告主の名称を示す情報である。広告発行量２６４Ｃは、サーバ２０が広告を広告提供装置１０へ発行した量（回数）を示す。サーバ２０は、広告提供装置１０に対して広告情報を送信する都度、広告発行量２６４Ｃを更新する。移動ルート２６４Ｄは、広告に関連する位置または経路を示す情報である。フィードバック量２６４Ｅは、各広告をもとに広告主の店舗等にユーザが来訪したことをスポンサー端末３０が検出し、スポンサー端末３０から送信される検出結果をサーバ２０が受け付けた回数を示す。すなわち、サーバ２０は、広告発行量２６４Ｃとフィードバック量２６４Ｅとに基づいて、広告内容に応じてどれだけの人が行動を起こしたかの結果を測定することができる。
【００６１】
＜動作＞
図６と図７とを参照して、本実施形態の広告提供システムを構成する各装置の動作を説明する。
【００６２】
図６は、広告提供装置１０がユーザの移動ルートに応じた携行広告物を出力する処理を示すフローチャートである。
【００６３】
ステップＳ６０１において、広告提供装置１０の制御部１６０は、ユーザが利用する通信端末である利用者通信装置１２０と通信し、利用者通信装置１２０から、ユーザを識別する情報を取得する。
【００６４】
ステップＳ６０５において、制御部１６０は、ユーザの識別情報に対応する、ユーザと関連付けられた位置情報またはユーザの移動方法の情報の少なくともいずれかを、記憶部１５０（メモリ）に記憶される利用者管理情報１５３に基づいて取得する。
【００６５】
ステップＳ６０９において、制御部１６０は、ユーザと関連付けられた位置情報またはユーザの位相方法の少なくともいずれかと、広告提供装置１０が設置される位置（ユーザの現在地）とに基づいて、ユーザがこれから移動する移動ルートを推定する。
【００６６】
ステップＳ６１３において、制御部１６０は、位置情報１５１Ｃを含む記憶部１５０のうち、ステップＳ６０９における推定結果である移動ルート（ユーザの移動先までの移動ルート）に対応する広告情報をメモリへ読み出す。
【００６７】
ステップＳ６１７において、制御部１６０は、ステップＳ６０９で推定した移動ルートを示す二次元コードを生成し、生成した二次元コードと、読み出された広告情報とをプリンタ４０へ出力し、二次元コードと広告情報とを買い物袋へ印刷するようプリンタ４０に指示する。
【００６８】
ステップＳ６２１において、制御部１６０は、プリンタ４０に印刷を指示した広告情報を特定する情報と、プリンタ４０へ出力を指示した日時と、ステップＳ６０９で推定した移動ルートを示す情報とをサーバ２０へ送信する。
【００６９】
図７は、スポンサー端末３０が広告フィードバック情報３６３を生成してサーバ２０へ送信する処理を示すフローチャートである。
【００７０】
ステップＳ７０１において、制御部３０７は、ユーザが携行する買い物袋６０に印刷された二次元コード６２を、広告主側のオペレータの操作に応じて読み取る。
【００７１】
ステップＳ７０５において、制御部３０７は、ステップＳ７０１で読み取った二次元コード６２に含まれる、ユーザの移動ルートの推定結果（ステップＳ６０９において推定される推定結果）を示す情報を抽出する。
【００７２】
ステップＳ７０９において、制御部３０７は、ステップＳ７０５で抽出した移動ルートの情報と、二次元コード６２を読み取った日時の情報（すなわち、ユーザが広告主の店舗等に来店した日時）と、広告主を識別する情報とを対応付けて、広告フィードバック情報３６３としてサーバ２０へ送信する。
【００７３】
このように構成することで、広告提供システムは、ユーザの移動ルートに応じた広告を配信することができる。これにより、買い物袋６０を把持したユーザが移動することに伴って、移動ルート上にある広告主の広告情報が、ユーザおよび移動ルート上の人によって閲覧されることとなる。また、買い物袋６０を把持したユーザが、広告情報に示される店舗等を訪問した場合、スポンサー端末３０は、買い物袋６０に印刷された二次元コード６２をもとに広告の効果の測定結果を取得ことができ、広告フィードバック情報３６３としてサーバ２０へ送信する。サーバ２０は、スポンサー端末３０から受信する広告フィードバック情報３６３に基づいて、広告効果情報２６４を更新する。したがって、サーバ２０は、広告情報を配信した数をカウントし、広告フィードバック情報３６３をスポンサー端末３０から受信することにより、配信した広告の効果を示すデータを蓄積することができる。
【００７４】
図８は、サーバ２０に蓄積される広告効果情報２６４の利用例を示す図である。サーバ２０は、広告主となる者の端末に対し、広告の測定結果を示す情報を送信する。
【００７５】
図８の状態（Ａ）は、広告効果情報２６４に基づいて、ある広告においてユーザが広告主の店舗（（例えば、図８の店舗８２）等を訪問した場合の、ユーザの移動ルートとして推定される推定結果の分布を視覚的に表示する例である。状態（Ａ）に示すように、店舗８２を訪問したユーザのうち、第１の移動ルートとして移動ルート７０Ａを利用するユーザの割合は３３％であり、第２の移動ルートとして移動ルート７０Ｂを利用するユーザの割合は２５％であることがルート分布表示部４０１に示されている。
【００７６】
状態（Ｂ）は、広告効果情報２６４に保持される移動ルート２６４Ｄに基づいて、ユーザの移動先の分布を視覚的に表したものである。状態（Ｂ）に示すように、広告情報をもとに店舗８２を訪問したユーザの数がどのように分布しているかを画面に表示している。例えば、ユーザの移動先をユーザの住居と仮定した場合、状態（Ｂ）の例では、店舗８２の周囲の半径Ｍキロメートル以内に、３０％のユーザの住居があることがわかる。
【００７７】
なお、以上の実施形態の説明では、広告提供装置１０の制御により、プリンタ４０が広告情報を携行物に印刷することで買い物袋６０を出力することとしている。これに限らず、広告提供装置１０が出力すべき広告情報を特定し、広告主のオペレータに、特定された広告情報が予め印刷された配布物をユーザに配布することとしてもよい。例えば、車両に貼り付けるシールを予め複数種類用意しておき、広告提供装置１０が特定した広告情報に対応するシールをユーザに配布することができる。
【００７８】
本実施の形態に係るシステムは、プロセッサと、その上で実行されるプログラムにより実現される。本実施の形態を実現するプログラムは、通信インタフェースを介してネットワークを利用した送受信等により提供される。
【００７９】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００８０】
１０  広告提供装置、４０  プリンタ、５０  バーコードスキャナ、６０  買い物袋、６１  広告表示部、６２  二次元コード、７０  移動ルート、７１  移動先分布範囲、８１  店舗、８２  店舗、８３  住居、９０  無線ルータ、１０１  アンテナ、１１１  無線通信部、１１２  利用者装置通信部、１１３  入出力ＩＦ、１２０  利用者通信装置、１２１  ＩＣカード、１２２  スマートフォン、１２３  ウェアラブルデバイス、１５０  記憶部、１５１  広告情報、１５３  利用者管理情報、１５４  広告提供履歴情報、１６０  制御部、１６１  利用者情報取得部、１６２  広告出力部、１６３  広告情報取得部、１６４  コード情報生成部、２０２  通信部、２０６  記憶部、２０７  制御部、２６１  広告情報、２６３  広告発行量情報、２６４  広告効果情報、２７１  データ受信部、２７２  広告情報送信部、３０２  通信部、３０６  記憶部、３０７  制御部、３２１  タッチパネル、３２２  ディスプレイ、３２３  カメラ、３２４  入出力ＩＦ、３６１  広告情報、３６３  広告フィードバック情報、３７１  広告情報送信部、３７２  フィードバック送信部、３７３  コード読み取り部、４０１  ルート分布表示部、４０２  移動先分布表示部。
【図１】
2016184093.tif 000003
【図２】
2016184093.tif 000004
【図３】
2016184093.tif 000005
【図４】
2016184093.tif 000006
【図５】
2016184093.tif 000007
【図６】
2016184093.tif 000008
【図７】
2016184093.tif 000009
【図８】
2016184093.tif 000010